(57)【特許請求の範囲】
【請求項１】
第１の出力装置により出力される色を第２の出力装置により再現するための色変換テーブルを編集する色変換テーブル編集装置であって、
前記第２の出力装置の色域を第１の色域として取得する第１の取得手段と、
前記第１の出力装置により出力される色を前記第２の出力装置の色変換テーブルを用いて前記第２の出力装置により再現した場合の色域を第２の色域として取得する第２の取得手段と、
前記第１の色域と前記第２の色域との差を色域の差として表示する表示手段と、
前記表示手段により表示された前記色域の差の範囲内で、調整の対象とする前記第２の色域の１又は複数の色値と各色値の調整量の入力を受け付ける操作入力手段と、
前記操作入力手段により受け付けた各色値を、前記操作入力手段により受け付けたそれぞれの調整量だけ調整し、前記第１の出力装置により出力される色を前記第２の出力装置の色変換テーブルを用いて前記第２の出力装置により再現した場合の色域が、前記色値を調整した後の第２の色域となるように、前記第２の出力装置の色変換テーブルを編集する編集手段と、
を備えることを特徴とする色変換テーブル編集装置。
【請求項２】
前記第１の色域と前記第２の色域との色値の差を表す複数の候補点を特定し、特定した各候補点を前記表示手段により表示させる表示制御手段を備え、
前記操作入力手段は、前記調整の対象とする前記第２の色域の色値に対応する候補点の選択入力を受け付けることを特徴とする請求項１に記載の色変換テーブル編集装置。
【請求項３】
レッド、イエロー、グリーン、シアン、ブルー及びマゼンタの各色の色相について、前記第１の色域と前記第２の色域との差を算出する色差算出手段を備え、
前記表示制御手段は、前記色差算出手段により、レッド、イエロー、グリーン、シアン、ブルー及びマゼンタのうち少なくともいずれか一つの色について算出された差を表す候補点を前記表示手段により表示させることを特徴とする請求項２に記載の色変換テーブル編集装置。
【請求項４】
前記表示制御手段は、複数の前記候補点のうち、前記第１の色域と前記第２の色域との差がより大きい候補点を優先して示すリストを前記表示手段により表示させることを特徴とする請求項２又は３に記載の色変換テーブル編集装置。
【請求項５】
前記操作入力手段は、前記調整の対象とする前記第２の色域の色値の範囲の入力を受け付け、
前記編集手段は、前記操作入力手段により受け付けた前記範囲に対応する前記第２の色域の各色値を調整することを特徴とする請求項１から４のいずれか一項に記載の色変換テーブル編集装置。
【請求項６】
前記表示手段は、前記範囲を表示することを特徴とする請求項５に記載の色変換テーブル編集装置。
【請求項７】
前記第１の出力装置の色域を第３の色域として取得する第３の取得手段を備え、
前記表示手段は、前記第２の色域と前記第３の色域との差を表示することを特徴とする請求項１から６のいずれか一項に記載の色変換テーブル編集装置。
【発明の詳細な説明】
【技術分野】
【０００１】
本発明は、色変換テーブル編集装置に関する。
【背景技術】
【０００２】
従来、ある出力装置（以下、「第１の出力装置」と記載）による色を、異なる出力装置（以下、「第２の出力装置」と記載）により再現するための色再現処理を行うカラーマネジメントシステムがある。カラーマネジメントシステムは、各々の出力装置の色変換テーブルを用いて、第１の出力装置により出力される色を、第２の出力装置で出力可能な色域に含まれる色で再現する。
【０００３】
また、カラーマネジメントシステムにおいて、第１の出力装置の色域と第２の出力装置の色域とを切り替え可能に表示し、各々の色域に対する調整を行うための色変換テーブル編集装置がある（例えば、特許文献１）。
【先行技術文献】
【特許文献】
【０００４】
【特許文献１】特許第４３４７４３５号公報
【発明の概要】
【発明が解決しようとする課題】
【０００５】
ところで、第２の出力装置が本来有する色域、即ち、第１の出力装置の色の再現にとらわれずに色を出力するときの第２の出力装置の色域（以下、「第１の色域」と記載）に比して、第１の出力装置により出力される色を第２の出力装置により再現した場合の色域（以下「第２の色域」と記載）は狭くなる。また、第２の色域は、第１の色域に比して色域が狭いことにより、鮮やかさ等の見た目の良さが劣ることがある。
【０００６】
一方、色再現処理において、色の正確な再現よりも、鮮やかさ等の見た目の良さが優先される場合がある。このような場合、第１の色域のうち第２の色域において使用されていない色域を活用するよう第２の出力装置の色変換テーブルを編集することにより、見た目の良さを向上させることができる場合がある。
【０００７】
しかしながら、従来の色変換テーブル編集装置は、色再現後の出力を行う装置、即ち、第２の出力装置の色域を十分に活用することができなかった。なぜならば、従来の色変換テーブル編集装置では、第１の色域と第２の色域との差を確認することができず、ユーザは、第１の色域のうち第２の色域において使用されていない色域を把握することが困難だったからである。
【０００８】
本発明の課題は、色再現後の出力を行う装置の色域を十分に活用することができる色変換テーブル編集装置を提供することである。
【課題を解決するための手段】
【０００９】
請求項１に記載の発明は、第１の出力装置により出力される色を第２の出力装置により再現するための色変換テーブルを編集する色変換テーブル編集装置であって、前記第２の出力装置の色域を第１の色域として取得する第１の取得手段と、前記第１の出力装置により出力される色を前記第２の出力装置の色変換テーブルを用いて前記第２の出力装置により再現した場合の色域を第２の色域として取得する第２の取得手段と、前記第１の色域と前記第２の色域との差を色域の差として表示する表示手段と、前記表示手段により表示された前記色域の差の範囲内で、調整の対象とする前記第２の色域の１又は複数の色値と各色値の調整量の入力を受け付ける操作入力手段と、前記操作入力手段により受け付けた各色値を、前記操作入力手段により受け付けたそれぞれの調整量だけ調整し、前記第１の出力装置により出力される色を前記第２の出力装置の色変換テーブルを用いて前記第２の出力装置により再現した場合の色域が、前記色値を調整した後の第２の色域となるように、前記第２の出力装置の色変換テーブルを編集する編集手段と、を備えることを特徴とする。
【００１０】
請求項２に記載の発明は、請求項１に記載の色変換テーブル編集装置であって、前記第１の色域と前記第２の色域との色値の差を表す複数の候補点を特定し、特定した各候補点を前記表示手段により表示させる表示制御手段を備え、前記操作入力手段は、前記調整の対象とする前記第２の色域の色値に対応する候補点の選択入力を受け付けることを特徴とする。
【００１１】
請求項３に記載の発明は、請求項２に記載の色変換テーブル編集装置であって、レッド、イエロー、グリーン、シアン、ブルー及びマゼンタの各色の色相について、前記第１の色域と前記第２の色域との差を算出する色差算出手段を備え、前記表示制御手段は、前記色差算出手段により、レッド、イエロー、グリーン、シアン、ブルー及びマゼンタのうち少なくともいずれか一つの色について算出された差を表す候補点を前記表示手段により表示させることを特徴とする。
【００１２】
請求項４に記載の発明は、請求項２又は３に記載の色変換テーブル編集装置であって、前記表示制御手段は、複数の前記候補点のうち、前記第１の色域と前記第２の色域との差がより大きい候補点を優先して示すリストを前記表示手段により表示させることを特徴とする。
【００１４】
請求項５に記載の発明は、請求項１から４のいずれか一項に記載の色変換テーブル編集装置であって、前記操作入力手段は、前記調整の対象とする前記第２の色域の色値の範囲の入力を受け付け、前記編集手段は、前記操作入力手段により受け付けた前記範囲に対応する前記第２の色域の各色値を調整することを特徴とする。
【００１５】
請求項６に記載の発明は、請求項５に記載の色変換テーブル編集装置であって、前記表示手段は、前記範囲を表示することを特徴とする。
【００１６】
請求項７に記載の発明は、請求項１から６のいずれか一項に記載の色変換テーブル編集装置であって、前記第１の出力装置の色域を第３の色域として取得する第３の取得手段を備え、前記表示手段は、前記第２の色域と前記第３の色域との差を表示することを特徴とする。
【発明の効果】
【００１７】
本発明によれば、色再現後の出力を行う装置の色域を十分に活用することができる。
【図面の簡単な説明】
【００１８】
【図１】本発明の一実施形態である色変換テーブル編集装置を含むカラーマネジメントシステムの主要構成の一例を示す図である。
【図２】色変換テーブル編集装置の主要構成の一例を示すブロック図である。
【図３】演算部の主要な機能の一例を示す機能ブロック図である。
【図４】ＤＰの構成の一例を示す図である。
【図５】ＤＬＰの構成の一例を示す図である。
【図６】ＤＰ又はＤＰ及びＤＬＰを用いた第２の色域の取得例を示すイメージ図である。図６（ａ）は、ＤＰを用いた第２の色域の取得例を示すイメージ図である。図６（ｂ）は、ＤＰ及びＤＬＰを用いた第２の色域の取得例を示すイメージ図である。
【図７】色変換テーブル編集画面の表示例を示す図である。
【図８】ＤＰを用いた色変換テーブル編集処理の流れの一例を示すフローチャートである。
【図９】第１の色域の表示処理の流れの一例を示すフローチャートである。
【図１０】第２の色域の表示処理の流れの一例を示すフローチャートである。
【図１１】編集候補点の特定処理の流れの一例を示すフローチャートである。
【図１２】ＤＰ及びＤＬＰを用いた色変換テーブル編集処理の流れの一例を示すフローチャートである。
【図１３】ＤＬＰを用いた第２の色域の表示処理の一例を示すフローチャートである。
【図１４】変形例における色変換テーブル編集画面の表示例を示す図である。
【発明を実施するための形態】
【００１９】
以下、本発明の一実施形態である色変換テーブル編集装置１０について、図面を用いて詳細に説明する。なお、実施形態は本発明の一例であり、これに限定されるものではない。
【００２０】
図１は、本発明の一実施形態である色変換テーブル編集装置１０を含むカラーマネジメントシステム１の主要構成の一例を示す図である。
カラーマネジメントシステム１は、端末２、コントローラ３、画像形成装置４及び色変換テーブル編集装置１０を備え、これらの各構成は、回線５により互いに通信可能に接続される。
【００２１】
端末２は、例えば、コンピュータであり、所定のプリンタドライバ等のソフトウェアを実行し、画像形成装置４による画像形成を行うためのデータ（プリントジョブ）を出力する。
【００２２】
コントローラ３は、端末２により出力されたプリントジョブに基づいて、画像形成装置４による画像形成が可能な形式の画像データを生成し、画像形成装置４に出力する。
具体的には、コントローラ３は、プリントジョブに含まれる画像データの元データに対して、色変換処理、スクリーニング、ラスタライズ等の各種の処理を施し、画像データを生成する。色変換処理とは、第１の出力装置の出力装置により出力される色を第２の出力装置により再現するために色変換テーブルを用いて色再現を行うための処理であり、例えば、コントローラ３は、画像形成装置４以外の出力装置の色を、画像形成装置４による印刷出力の色により再現するための色変換処理を行う。画像形成装置４以外の出力装置として、例えば、他の画像形成装置や、表示装置、その他の色を取り扱うあらゆる出力装置があげられる。
【００２３】
画像形成装置４は、コントローラ３により出力された画像データに基づいて画像形成を行う。
【００２４】
回線５は、例えば、専用線や既存の一般公衆回線を利用して構築された通信ネットワークの回線であり、ＬＡＮ（Local Area Network）、ＷＡＮ（Wide Area Network）等の様々な回線形態を適用することが可能である。
【００２５】
色変換テーブル編集装置１０は、例えば、コントローラ３が色変換処理で用いる色変換テーブルの編集等、色変換テーブルに関する各種の処理を行う。
図２は、色変換テーブル編集装置１０の主要構成の一例を示すブロック図である。
色変換テーブル編集装置１０は、表示部１１、操作入力部１２、通信制御部１３、命令部１４、測定部１５、及び演算部２０等を備え、これらの各構成は、バス１６を介して接続される。
【００２６】
表示部１１は、例えば、液晶表示装置や有機エレクトロルミネッセンス（Electro-Luminescence：ＥＬ）表示装置等の表示装置を備え、色変換テーブル編集装置１０が行う各種の処理内容に応じた表示を行う。
【００２７】
操作入力部１２は、例えば、キーボードやマウス等の入力装置を備え、色変換テーブル編集装置１０に対する各種の操作入力を受け付け、受け付けた入力内容に応じた電気信号を生じさせて出力する。演算部２０は、操作入力部１２を解して入力された内容に応じた処理を行う。
【００２８】
通信制御部１３は、例えば、回線５を介した通信網との接続のためのインタフェースや、通信を行うための信号処理を行う回路（図示略）等を備え、有線又は無線ＬＡＮ等の所定の通信規格により、回線５を介してカラーマネジメントシステム１の各機器と間で情報の通信制御を行う。
【００２９】
命令部１４は、色を取り扱う出力装置（例えば、画像形成装置４等）に対して、色変換テーブルを作成するための色票（チャート）を出力させる命令（チャート出力命令）を出力する。
例えば、回線５を介して命令部１４により画像形成装置４に対してチャート出力命令が出力された場合、画像形成装置４は、チャートを印刷出力する。
【００３０】
測定部１５は、外部の測色器６と接続するためのインタフェース（図示略）等を備え、接続された測色器６を介してチャートに含まれる色を測定する。
ここで、測定部１５による色の測定に用いるチャートは、例えば、命令部１４によるチャート出力命令等に応じて出力されたチャートでもよいし、予め用意されたチャートでもよい。
【００３１】
演算部２０は、例えば、図示しないＣＰＵ、ＲＡＭ、ＲＯＭ及びフラッシュメモリ等の記憶装置を備え、ＲＯＭや記憶装置に記憶された各種のプログラム、データ等を読み出して各種の処理を行う。
また、演算部２０は、測定部１５によるチャートの色の測定結果に基づいて、色変換テーブルを生成する。また、演算部２０は、色変換テーブルに関する各種処理を行う。
【００３２】
図３は、演算部２０の主要な機能の一例を示す機能ブロック図である。
演算部２０は、第１色域取得部２１、第２色域取得部２２、色域表示制御部２３、色差算出部２４、編集候補点表示制御部２５、編集点入力部２６、編集量入力部２７、編集範囲入力部２８、編集演算部２９及び保存部３０を備える。
【００３３】
第１色域取得部２１は、色変換テーブルに基づいて、第２の出力装置の色域（第１の色域）を取得する。
以下、本実施形態における色変換テーブルに基づく色域の取得の説明の一例として、ＩＣＣ（International Color Consortium）プロファイルによるカラーマネジメント方法を用いた例を説明する。
【００３４】
ＩＣＣプロファイルによるカラーマネジメント方法において用いられる色変換テーブルとして、例えば、デバイスプロファイル（Device Profile：ＤＰ）や、デバイスリンクプロファイル（Device Link Profile：ＤＬＰ）がある。以下、順次説明する。
【００３５】
図４は、ＤＰの構成の一例を示す図である。
ＤＰは、機種依存値と機種独立値との対応関係を示すルックアップテーブル（LookUp Table：ＬＵＴ）である。
機種依存値は、特定の出力装置と対応する色値を示し、例えば、画像形成装置４で用いる色剤の色（シアン（Ｃ）、マゼンタ（Ｍ）、イエロー（Ｙ）及びブラック（Ｂ））に対応する。なお、色剤の種類（例えば、ＣＭＹＫ等）等、色再現に用いる色空間が同一であっても、機種依存値は個々の出力装置により異なる。
機種独立値は、特定の出力装置によらない所定の色空間の色値を示す。機種独立値は、例えば、シーラブ（CIE L*a*b*）表色系等の所定の色空間に基づく色値である。
【００３６】
ＤＰは、機種依存値から機種独立値を得るためのＬＵＴ（例えば、図４に示す「Ａ２Ｂ」等）と、機種独立値から機種依存値を得るためのＬＵＴ（例えば、図４に示す「Ｂ２Ａ」等）とを個別に有する。
また、図４に示すように、ＤＰは、予め設定されたレンダリングインテントを有していてもよい。レンダリングインテントとして、例えば、自然な色再現を優先する「知覚」や、測色的な正しさを優先する「測色」、色の鮮やかさを優先する「彩度」等がある。レンダリングインテントを設定されたＤＰは、色再現のポリシーの違いに応じて個別に設けられた複数の機種依存値と機種独立値との対応関係を示すＬＵＴを有する。
【００３７】
図５は、ＤＬＰの構成の一例を示す図である。
ＤＬＰは、異なる２つの機種依存値どうしの対応関係を示すルックアップテーブル（ＬＵＴ）である。つまり、ＤＬＰは、異なる２つの出力装置の間で色を相互に変換することを可能とする色変換テーブルである。
【００３８】
演算部２０は、画像形成装置４のチャートに基づいて生成した色変換テーブルや、他の出力装置のチャートに基づいて生成した色変換テーブル、予め設けられた色変換テーブル等、各種の色変換テーブルを記憶装置等に記憶している。
【００３９】
第１色域取得部２１は、例えば、画像形成装置４の色変換テーブルに基づいて、画像形成装置４の色域を取得する。具体的には、第１色域取得部２１は、画像形成装置４のＤＰを読み出し、画像形成装置４の機種依存色に応じた機種独立値を取得する。
【００４０】
第２色域取得部２２は、色変換テーブルに基づいて、色再現の基準となる色域を取得する。即ち、第２色域取得部２２は、第１の出力装置により出力される色を前記第２の出力装置により再現した場合の色域（第２の色域）を取得する。
【００４１】
第２色域取得部２２は、ＤＰ又はＤＰ及びＤＬＰを用いて第２の色域を取得することができる。
ＤＰを用いて第２の色域を取得する場合、図６（ａ）に示すように、第２色域取得部２２は、第１の出力装置のＤＰにより、第１の出力装置の機種依存値に対応する機種独立値を得る。次に、得られた機種独立値と第２の出力装置のＤＰとに基づいて、得られた機種独立値に対応する第２の出力装置の機種依存値を取得する。そして、第２色域取得部２２は、得られた第２の出力装置の機種依存値と、第２の出力装置のＤＰとに基づいて、得られた第２の出力装置の機種依存値に対応する機種独立値を第２の色域として取得する。なお、第１の出力装置のＤＰは、ソースプロファイル又はターゲットプロファイルと呼ばれる。また、第２の出力装置のＤＰは、デスティネーションプロファイル又はプリンタープロファイルと呼ばれる。
【００４２】
一方、ＤＰ及びＤＬＰを用いて第２の色域を取得する場合、図６（ｂ）に示すように、第２色域取得部２２は、第１の出力装置の機種依存値と第２の出力装置の機種依存値とを対応付けたＤＬＰにより、第１の出力装置の機種依存値に対応する第２の出力装置の機種依存値を取得する。そして、第２色域取得部２２は、得られた第２の出力装置の機種依存値と、第２の出力装置のＤＰとに基づいて、得られた第２の出力装置の機種依存値に対応する機種独立値を第２の色域として取得する。
【００４３】
本実施形態の色変換テーブル編集装置１０は、第１の出力装置の色変換テーブルとして、例えば、図示しない他の画像形成装置（例えば、オフセット印刷機等）の色変換テーブルや、一般的に知られる所定のプロファイル（例えば、JapanColor（登録商標）等）を用いることができる。演算部２０は、図示しない他の画像形成装置のチャートの測色結果に応じたＤＰを生成することができる。また、演算部２０は、図示しない他の画像形成装置のチャートの測色結果と、画像形成装置４のチャートの測色結果に基づいて、図示しない他の画像形成装置と画像形成装置４との間で相互に色変換を行うためのＤＬＰを生成することができる。また、演算部２０は、予め用意された所定のＤＰ（例えば、JapanColor（登録商標）のＤＰ等）を用いることもできる。
【００４４】
色域表示制御部２３は、第１色域取得部２１及び第２色域取得部２２により取得された色域を表示部１１に表示させる。具体的には、色域表示制御部２３は、色変換テーブル編集画面において、第１色域取得部２１及び第２色域取得部２２により取得された色域を表示させる。
【００４５】
図７は、色変換テーブル編集画面の表示例を示す図である。
図７に示すように、色変換テーブル編集画面は、色域を表示するための領域（色域ビュー）を有する。色域ビューは、機種独立値の色空間（例えば、CIE L*a*b*等）に対応した表示方法で色域を表示する領域である。図７に示す例では、色域ビューは、ａ＊−ｂ＊平面により色域を表示しているが、他の平面（Ｌ＊−ａ＊平面や、Ｌ＊−ｂ＊平面）や、３Ｄ（Ｌ＊−ａ＊−ｂ＊色空間）による表示を行うこともできる。色域ビューの表示方法の変更は、例えば、図７に示す「表示空間」のボタン選択により行うことができる。
【００４６】
図７に示すように、色域表示制御部２３は、第１色域取得部２１により取得された第１の色域を示す六角形状の枠Ｈ１と、第２色域取得部２２により取得された第２の色域を示す六角形状の枠Ｈ２とを色域ビューに表示させる。ここで、第１の色域を示す枠Ｈ１と、第２の色域を示す枠Ｈ２との間の空間、即ち、色域ビューにおける枠Ｈ１と枠Ｈ２との離間の度合いが、第１の色域と第２の色域との差（色域の差）として表示される。
【００４７】
色差算出部２４は、所定の特定基準に基づいて、第２の色域と第１の色域との差を算出する。
具体的には、色差算出部２４は、例えば、ａ＊−ｂ＊平面におけるレッド（Ｒ）、イエロー（Ｙ）、グリーン（Ｇ）、シアン（Ｃ）、ブルー（Ｂ）、マゼンタ（Ｍ）の各々の単色の色相及びこれらの単色のうち隣り合う色どうしの中間点に対応する色相の各々について、第１の色域と第２の色域との差（色差ｄ）を算出する。
【００４８】
なお、レッド（Ｒ）、イエロー（Ｙ）、グリーン（Ｇ）、シアン（Ｃ）、ブルー（Ｂ）、マゼンタ（Ｍ）の各々の単色の色相及びこれらの単色のうち隣り合う色どうしの中間点に対応する色相は、全ての色相を平面上の０度から３６０度の角度で表した場合、レッド（Ｒ）、イエロー（Ｙ）、グリーン（Ｇ）、シアン（Ｃ）、ブルー（Ｂ）、マゼンタ（Ｍ）がそれぞれ６０度刻みで３６０度を区切る色相となり、単色のうち隣り合う色どうしの中間点は、さらに隣り合う色どうしを２分することとなる。つまり、レッド（Ｒ）、イエロー（Ｙ）、グリーン（Ｇ）、シアン（Ｃ）、ブルー（Ｂ）、マゼンタ（Ｍ）の各々の単色の色相及びこれらの単色のうち隣り合う色どうしの中間点に対応する色相は、全ての色相を３０度単位で区切る。
【００４９】
編集候補点表示制御部２５は、所定の特定基準に基づいて、第２の色域と第１の色域との差を示す候補点を、表示部１１に表示された色変換テーブル編集画面に表示させる。
具体的には、編集候補点表示制御部２５は、例えば、レッド（Ｒ）、イエロー（Ｙ）、グリーン（Ｇ）、シアン（Ｃ）、ブルー（Ｂ）、マゼンタ（Ｍ）の各々の単色の色相及びこれらの単色のうち隣り合う色どうしの中間点に対応する色相の各々について、色差算出部２４により算出された第１の色域と第２の色域との差の値がより大きい所定数（例えば、６つ）の色差に対応する色値を編集候補点として特定し、編集候補点を表示する。編集候補点は、後述する第２の色域の編集を行う際に利用可能なナビゲーション要素として機能する。
【００５０】
本実施形態では、レッド（Ｒ）、イエロー（Ｙ）、グリーン（Ｇ）、シアン（Ｃ）、ブルー（Ｂ）、マゼンタ（Ｍ）の各々の単色及びこれらの単色のうち隣り合う色どうしの中間点に対応する色のうち、色差算出部２４により算出された第１の色域と第２の色域との差がより大きい所定数（例えば、６つ）の編集候補点を表示する。
【００５１】
図７に示す例の場合、六つの編集候補点Ｑ１〜Ｑ６が第２の色域を示す枠Ｈ２に重畳するように表示されている。また、当該六つの編集候補点Ｑ１〜Ｑ６に対応するように、編集限界点Ｒ１〜Ｒ６が第１の色域を示す枠Ｈ１に重畳するように表示されている。
編集限界点Ｒ１〜Ｒ６は、各々が、編集候補点Ｑ１〜Ｑ６の各々について色域を拡大することができる限界の色値を示す。言い換えれば、第２の色域の編集において、ユーザは、編集候補点Ｑ１に対応する色値を、当該編集候補点Ｑ１の色値から、編集限界点Ｒ１の色値までの範囲内で変化させることができる。同様に、第２の色域の色値の編集においてユーザは、第１の色域と第２の色域の差の範囲内で第２の色域を調整することができる。
【００５２】
編集候補点の表示に係る処理についてより具体的に説明すると、色差算出部２４は、所定の角度（例えば、上記の３０度単位）で区切られた色相のいずれかにおいて、彩度が最も高くなる色値を、第１の色域及び第２の色域の各々について特定する。ここで、特定された第１の色域の色値を色値ｎとし、第２の色域を色値ｍとする。そして、色差算出部２４は、色値ｍと色値ｎとの差異（色差ｄ）を算出し、算出された色差ｄを、色相における最大の色差とする。色差算出部２４は、所定の角度で区切られた色相を構成する全ての色相について、色値ｎ、色値ｍ、色差ｄの算出を行い、各々の色相の最大の色差を算出する。そして、編集候補点表示制御部２５は、算出された最大の色差のうち、より大きい所定数（例えば、６つ）の色差を示す第２の色域の色値ｍを、編集候補点とし、編集候補点とされた色値ｍに対応する色値ｎを編集限界点とし、色変換テーブル編集画面に表示させる。ここで、色差ｄの値の大きさは、色域ビューにおいて、編集候補点と編集限界点との間の距離の大きさに対応する。本実施形態では、各々の編集候補点から当該編集候補点の編集限界点に向かう矢印が表示される。つまり、当該矢印が各々の編集候補点について調整（拡大）可能な色域の範囲を示唆する。
【００５３】
編集点入力部２６、編集量入力部２７及び編集範囲入力部２８は、操作入力部１２等を介して行われた、第１の色域と第２の色域の差の範囲内における第２の色域に対する調整の入力を受け付ける。
【００５４】
編集点入力部２６は、複数の編集候補点の中から第２の色域の調整に用いる候補点を選択する。
具体的には、編集点入力部２６は、色変換テーブル編集画面に表示された編集候補点のうち、いずれかの編集候補点に対する選択を受け付け、色変換テーブル編集画面に反映する。編集候補点の選択は、例えば、色域ビューに表示された編集候補点のいずれかに対する選択入力や、図７に示す色変換テーブル編集画面の「大色差領域より選択」のプルダウンメニューを用いた選択等により行うことができる。「大色差領域より選択」のプルダウンメニューは、例えば、色差ｄがより大きい編集候補点が含まれる色相（Ａｒｅａ）をより上に表示する。
また、編集点入力部２６は、図７に示すように、選択された編集候補点に応じた入力デバイス値及び出力デバイス値を色変換テーブル編集画面に表示させる。ここで、入力デバイス値は、第１の出力装置の色値を示す。また、出力デバイス値は、第２の出力装置の色値を示す。つまり、編集点入力部２６は、選択された編集候補点に応じた色値を、第１の出力装置の色値及び第２の出力装置の色値で示す。
【００５５】
編集量入力部２７は、選択された編集候補点に基づいた第２の色域の調整量を決定する。
具体的には、編集量入力部２７は、図７に示す補正量の数値を決定する。例えば、図７に示す「鮮やかにする」のボタンがユーザにより操作された場合、編集量入力部２７は、選択された編集候補点の色値を、当該編集候補点に対応する編集限界点の色値とした場合の色値の調整量（例えば、Ｃ、Ｍ、Ｙ、Ｋの各々の色値の調整量）を、図７に示す補正量の数値に設定する。また、図７に示す補正量の各々の色の数値は、ユーザにより個別に指定入力されてもよい。この場合、編集量入力部２７は、指定入力された値を補正量の各々の色の数値に設定する。
【００５６】
編集範囲入力部２８は、第２の色域の調整の範囲（補正範囲）を指定する。
具体的には、編集範囲入力部２８は、選択された編集候補点の色値と、色変換テーブル編集画面における入力操作に応じて設定された所定の補正範囲とに応じて補正範囲を決定する。本実施形態では、所定の補正範囲として、例えば、「狭い」、「普通」及び「広い」の文字列により表される補正範囲が予め設定されている。
ここで、「狭い」とは、編集候補点の色値を中心としてΔＥ＝１０に含まれる色域を示す。また、「普通」とは、編集候補点の色値を中心としてΔＥ＝２０に含まれる色域を示す。また、「広い」とは、編集候補点の色値を中心としてΔＥ＝３０に含まれる色域を示す。ΔＥは、シーラブ表色系の色空間におけるユークリッド距離を示す。これらの所定の補正範囲の名称と、その具体的な内容とは予め設けられたデータにより定められ、ＲＯＭや記憶装置に記憶されている。これらの所定の補正範囲の表現やその具体的内容はあくまで一例であり、これに限られるものではない。
【００５７】
色変換テーブル編集画面において、ユーザにより「狭い」、「普通」又は「広い」の補正範囲のいずれかが選択されると、編集範囲入力部２８は、選択された編集候補点の色値と、選択された補正範囲とに応じて、具体的に編集対象となる色域を決定する。
【００５８】
編集演算部２９は、第１の出力装置により出力される色を第２の出力装置の色変換テーブルを用いて第２の出力装置により再現した場合の色域が調整後の第２の色域となるように、第２の出力装置の色変換テーブルを編集する。
具体的には、編集演算部２９は、例えば、編集点入力部２６、編集量入力部２７及び編集範囲入力部２８により受け付けられた入力内容に応じて編集対象となった色域を編集するための演算を行う。まず、編集演算部２９は、編集点入力部２６により設定された出力デバイス値及び編集量入力部２７により設定された補正量に応じて、編集量に応じた色値の編集が行われた出力デバイス値を編集後出力デバイス値として算出し、色変換テーブル編集画面に反映する。また、編集演算部２９は、選択された編集候補点と編集範囲入力部２８により設定された補正範囲とに応じた色域に含まれる各色値についても、候補点と同様に編集後の色値を算出する。そして、編集演算部２９は、算出された編集後の色値に対応する色再現がなされるように、第２の出力装置のＤＰのＬＵＴのうち第２の色域の取得に用いたＢ２ＡのＬＵＴ又はＤＬＰのＬＵＴを編集、調整する。
【００５９】
本実施形態では、演算部２０は、入力デバイス値に応じた色を色変換テーブル編集画面の入力デバイス色表示窓Ｗ１に表示させ、出力デバイス値に応じた色を色変換テーブル編集画面の出力デバイス色表示窓Ｗ２に表示させ、編集後出力デバイス値に応じた色を色変換テーブル編集画面の編集後出力デバイス色表示窓Ｗ３に表示させる。即ち、演算部２０は、色再現の基準となる色を入力デバイス色表示窓Ｗ１に表示させ、色域の調整前の再現色を出力デバイス色表示窓Ｗ２に表示させ、色域の調整後の再現色を編集後出力デバイス色表示窓Ｗ３に表示させる。
【００６０】
保存部３０は、編集演算部２９により編集された色変換テーブルを保存する。
具体的には、保存部３０は、例えば、編集演算部２９により変更されたＬＵＴが反映された画像形成装置４のＤＰや、画像形成装置４と他の出力装置との間における色変換のためのＤＬＰ等を、演算部２０の記憶装置等に記憶させる。
【００６１】
なお、本実施形態の色変換テーブル編集装置１０が受け付ける色変換テーブルの編集内容は、編集候補点を用いた編集に限らない。例えば、ユーザの入力操作により、編集候補点以外の色値が編集対象として指定されると、編集点入力部２６は、上記の編集候補点に代えて、編集対象として指定された色値（編集点）に応じた入力デバイス値及び出力デバイス値を色変換テーブル編集画面に表示させる。そして、編集演算部２９は、編集点入力部２６により設定された出力デバイス値及び編集量入力部２７により設定された補正量に応じて、編集量に応じた色値の編集が行われた出力デバイス値を編集後出力デバイス値として算出し、色変換テーブル編集画面に反映する。そして、編集演算部２９は、指定された編集点と編集範囲入力部２８により設定された補正範囲とに応じた色域に含まれる各色値についても、候補点と同様に編集後の色値を算出する。
【００６２】
また、本実施形態の色変換テーブル編集装置１０は、編集候補点の表示を行うか否かの選択が可能である。具体的には、色変換テーブル編集装置１０は、ユーザにより設定された編集候補点の表示を行うか否かの設定を、演算部２０の記憶装置等に記憶させる。
編集候補点の表示を行う設定がなされている場合、編集候補点表示制御部２５は、編集候補点の特定及び表示のための処理を行う。一方、編集候補点の表示を行う設定がなされていない場合、編集候補点表示制御部２５は、編集候補点の特定及び表示のための処理を行わない。
【００６３】
以下、図８及至図１３のフローチャートを参照して、演算部２０による処理の流れを説明する。
まず、ＤＰを用いた色変換テーブル編集処理の流れについて、図８のフローチャートを参照して説明する。
演算部２０は、編集対象とする第２の出力装置のＤＰ（例えば、画像形成装置４のＤＰ）を読み出す（ステップＳ１）。次に、演算部２０は、色再現の基準となる第１の出力装置のＤＰを読み出す（ステップＳ２）。そして、演算部２０は、ユーザによるレンダリングインテントの選択（ステップＳ３）に応じて、読み出したＤＰにおいて参照するＬＵＴを決定し、第１色域取得部２１が第１の色域の表示処理（ステップＳ４）を行う。
【００６４】
ここで、第１の色域の表示処理について、図９のフローチャートを参照して説明する。
まず、第１色域取得部２１は、第１の色域の色域立体を構成するデータ（色域立体情報）を格納するためのメモリ領域を確保し、第１の色域の色域立体情報を初期化する（ステップＳ２１）。色域立体情報の初期化とは、機種独立値の色空間（例えば、Ｌ＊−ａ＊−ｂ＊の３Ｄ色空間）において第１の色域を示すための色域立体を構成する色値情報を全てクリアすることであり、一般的な初期化処理である。
【００６５】
次に、第１色域取得部２１は、第２の出力装置のＤＰのうち、Ａ２ＢのＬＵＴを用いて、第２の出力装置の機種依存値（例えば、ＣＭＹＫ色空間における色値）から機種独立値（例えば、Ｌ＊ａ＊ｂ＊の値）を算出する（ステップＳ２２）。
次に、第１色域取得部２１は、算出された機種独立値が、第１の色域の表示処理において既に算出された機種独立値により構成される色域立体に含まれるか否か判定する（ステップＳ２３）。ここで、算出された機種独立値が、第１の色域の表示処理において既に算出された機種独立値により構成される色域立体に含まれない場合（ステップＳ２３：ＮＯ）、第１色域取得部２１は、算出された機種独立値により色域立体情報を更新する（ステップＳ２４）。
【００６６】
その後、第１色域取得部２１は、第２の出力装置の機種依存値における全ての色について機種独立値を算出したか否か判定する（ステップＳ２５）。ここで、第２の出力装置の機種依存値における全ての色について機種独立値を算出した場合（ステップＳ２５：ＹＥＳ）、第１色域取得部２１は、色域立体情報に基づいて、色変換テーブル編集画面の「表示空間」の設定による色域ビューの空間に対応した色域立体の枠（枠Ｈ１）を色域ビューに表示させ（ステップＳ２６）、第１の色域の表示処理を終了する。一方、第２の出力装置の機種依存値における全ての色について機種独立値を算出していない場合（ステップＳ２５：ＮＯ）、第１色域取得部２１は、処理をステップＳ２２に移行する。
なお、ステップＳ２３にて、算出された機種独立値が、第１の色域の表示処理において既に算出された機種独立値により構成される色域立体に含まれる場合（ステップＳ２３：ＹＥＳ）、第１色域取得部２１は、処理をステップＳ２５に移行する。
【００６７】
第１の色域の表示処理の終了後、第２色域取得部２２は、第１の出力装置のＤＰ及び第２の出力装置のＤＰを用いて、第２の色域の表示処理（ステップＳ５）を順次行う。
ここで、第２の色域の表示処理について、図１０のフローチャートを参照して説明する。
まず、第２色域取得部２２は、第２の色域の色域立体を構成するデータ（色域立体情報）を格納するためのメモリ領域を確保し、第２の色域の色域立体情報を初期化する（ステップＳ３１）。
【００６８】
次に、第２色域取得部２２は、第１の出力装置のＤＰのうち、Ａ２ＢのＬＵＴを用いて、第１の出力装置の機種依存値（例えば、ＣＭＹＫ色空間における色値）から機種独立値（例えば、Ｌ＊ａ＊ｂ＊の値）を算出する（ステップＳ３２）。次に、第２色域取得部２２は、第２の出力装置のＤＰのうち、Ｂ２ＡのＬＵＴを用いて、算出された機種独立値から第２の出力装置の機種依存値（例えば、ＣＭＹＫ色空間における色値）を算出する（ステップＳ３３）。さらに、第２色域取得部２２は、第２の出力装置のＤＰのうち、Ａ２ＢのＬＵＴを用いて、算出された第２の出力装置の機種依存値から機種独立値（例えば、Ｌ＊ａ＊ｂ＊の値）を算出する（ステップＳ３４）。
【００６９】
次に、第２色域取得部２２は、算出された機種独立値が、第２の色域の表示処理において既に算出された機種独立値により構成される色域立体に含まれるか否か判定する（ステップＳ３５）。ここで、算出された機種独立値が、第２の色域の表示処理において既に算出された機種独立値により構成される色域立体に含まれない場合（ステップＳ３５：ＮＯ）、第２色域取得部２２は、算出された機種独立値により色域立体情報を更新する（ステップＳ３６）。
【００７０】
その後、第２色域取得部２２は、第１の出力装置の機種依存値における全ての色について機種独立値を算出したか否か判定する（ステップＳ３７）。ここで、第１の出力装置の機種依存値における全ての色について機種独立値を算出した場合（ステップＳ３５：ＹＥＳ）、第２色域取得部２２は、色域立体情報に基づいて、色変換テーブル編集画面の「表示空間」の設定による色域ビューの空間に対応した色域立体の枠（枠Ｈ２）を色域ビューに表示させ（ステップＳ３８）、第２の色域の表示処理を終了する。一方、第１の出力装置の機種依存値における全ての色について機種独立値を算出していない場合（ステップＳ３７：ＮＯ）、第２色域取得部２２は、処理をステップＳ３２に移行する。
なお、ステップＳ３５にて、算出された機種独立値が、第２の色域の表示処理において既に算出された機種独立値により構成される色域立体に含まれる場合（ステップＳ３５：ＹＥＳ）、第２色域取得部２２は、処理をステップＳ３７に移行する。
【００７１】
第２の色域の表示処理の終了後、演算部２０は、編集候補点を表示する設定がなされているか否か判定する（ステップＳ６）。ここで、編集候補点を表示する設定がなされている場合（ステップＳ６：ＹＥＳ）、色差算出部２４及び編集候補点表示制御部２５は、編集候補点の特定処理を行う（ステップＳ７）。
【００７２】
ここで、編集候補点の特定処理について、図１１のフローチャートを参照して説明する。
まず、色差算出部２４は、レッド（Ｒ）、イエロー（Ｙ）、グリーン（Ｇ）、シアン（Ｃ）、ブルー（Ｂ）、マゼンタ（Ｍ）の各々の単色の色相及びこれらの単色のうち隣り合う色どうしの中間点に対応する色相のいずれかの中で、色相の最大の色差の算出がまだ完了していない色相のうちいずれか一つを処理対象の色相とする（ステップＳ４１）。
【００７３】
次に、色差算出部２４は、処理対象の色相について、第２の色域の色域立体情報により構成される色域で彩度が最も高い色値ｍを特定する（ステップＳ４２）。また、色差算出部２４は、処理対象の色相について、第１の色域の色域立体情報により構成される色域で彩度が最も高い色値ｎを特定する（ステップＳ４３）。そして、色差算出部２４は、色値ｍと色値ｎとの差異（色差ｄ）を算出し、その色相の最大の色差とする（ステップＳ４４）。
【００７４】
次に、色差算出部２４は、全ての色相について、色相の最大の色差を算出したか否かを判定する（ステップＳ４５）。ここで、全ての色相について、色相の最大の色差を算出していない場合（ステップＳ４５：ＮＯ）、色差算出部２４は、処理をステップＳ４１に移行する。
一方、ステップＳ４５にて、全ての色相について、色相の最大の色差を算出した場合（ステップＳ４５：ＹＥＳ）、編集候補点表示制御部２５は、算出された各色相の最大の色差のうち、色差ｄがより大きい所定数の色相における色値ｍを編集候補点とし、編集候補点を色変換テーブル編集画面に表示させ（ステップＳ４６）、処理を終了する。
【００７５】
編集候補点の特定処理後、編集点入力部２６は、ユーザの入力操作により編集候補点が選択されたか否か判定する（ステップＳ８）。ここで、編集候補点が選択された場合（ステップＳ８：ＹＥＳ）、編集点入力部２６は、選択された編集候補点の色値を取得する（ステップＳ９）。一方、ステップＳ６にて編集候補点を表示する設定がなされていない場合（ステップＳ６：ＮＯ）や、ステップＳ８にて編集候補点が選択されなかった場合（ステップＳ８：ＮＯ）、編集点入力部２６は、ユーザの入力操作により指定された第２の色域内の編集点の色値を取得する（ステップＳ１０）。
【００７６】
次に、編集量入力部２７が、色変換テーブル入力画面においてユーザの入力操作等に応じて補正量を設定する（ステップＳ１１）。また、編集範囲入力部２８が、色変換テーブル入力画面においてユーザの入力操作等に応じて補正範囲を設定する（ステップＳ１２）。
次に、編集演算部２９が、編集点入力部２６により取得された色値（例えば、設定された出力デバイス値等）、編集量入力部２７により設定された補正量、編集範囲入力部２８により設定された補正範囲を用いて、編集後の色値に対応したＤＰのＬＵＴを算出する（ステップＳ１３）。
そして、保存部３０が、編集演算部２９により算出された編集後の色値に対応したＤＰのＬＵＴを反映した第２の出力装置のＤＰを保存し（ステップＳ１４）、処理を終了する。
【００７７】
次に、ＤＰ及びＤＬＰを用いた色変換テーブル編集処理の流れについて、図１２のフローチャートを参照して説明する。ここで、図８に示すＤＰを用いた色変換テーブル編集処理の流れと同様の処理については、同じステップ番号を付して説明を省略する。
演算部２０は、編集対象とするＤＬＰ（例えば、図示しない他の画像形成装置と画像形成装置４との間で相互に色変換を行うためのＤＬＰ）を読み出す（ステップＳ５１）。
【００７８】
次に、演算部２０は、色再現の基準となる第１の出力装置のＤＰを読み出す（ステップＳ２）。そして、演算部２０は、第１色域取得部２１が第１の色域の表示処理を行う（ステップＳ４）。
【００７９】
第１の色域の表示処理後、第２色域取得部２２は、ＤＬＰを用いた第２の色域の表示処理を行う（ステップＳ５２）。
ここで、ＤＬＰを用いた第２の色域の表示処理について、図１３のフローチャートを参照して説明する。なお、図１０に示す第２の色域の表示処理と同様の処理については、同じステップ番号を付して説明を省略する。
第２色域取得部２２は、第２の色域の色域立体を構成するデータ（色域立体情報）を格納するためのメモリ領域を確保し、第２の色域の色域立体情報を初期化する（ステップＳ３１）。
【００８０】
次に、第２色域取得部２２は、ＤＬＰを用いて、第１の出力装置の機種依存値（例えば、ＣＭＹＫ色空間における色値）から第２の出力装置の機種依存値（例えば、ＣＭＹＫ色空間における色値）を算出する（ステップＳ６１）。その後、第２色域取得部２２は、第２の出力装置のＤＰのうち、Ａ２ＢのＬＵＴを用いて、算出された第２の出力装置の機種依存値から機種独立値（例えば、Ｌ＊ａ＊ｂ＊の値）を算出する（ステップＳ３４）。ステップＳ３４からステップＳ３８に係る処理の流れは、図１０に示す第２の色域の表示処理の流れと同様である。ただし、ＤＬＰを用いた第２の色域の表示処理では、ステップＳ３７にて、第１の出力装置の機種依存値における全ての色について機種独立値を算出していない場合（ステップＳ３７：ＮＯ）、第２色域取得部２２は、処理をステップＳ６１に移行する。
【００８１】
ＤＬＰを用いた第２の色域の表示処理後、演算部２０は、候補点を表示する設定がなされているか否か判定する（ステップＳ６）。ステップＳ６〜ステップＳ１２に係る処理の流れは、図８に示すＤＰを用いた色変換テーブル編集処理の流れと同様である。
ＤＰ及びＤＬＰを用いた色変換テーブル編集処理では、ステップＳ１２の処理後、編集演算部２９が、編集点入力部２６により取得された色値（例えば、設定された出力デバイス値等）、編集量入力部２７により設定された補正量、編集範囲入力部２８により設定された補正範囲を用いて、編集後の色値に対応したＤＬＰのＬＵＴを算出する（ステップＳ５３）。保存部３０が、編集演算部２９により算出された編集後の色値を反映したＤＬＰを保存し（ステップＳ５４）、処理を終了する。
【００８２】
以上、本実施形態の色変換テーブル編集装置１０によれば、第１色域取得部２１が、第２の出力装置の色域を第１の色域として取得し、第２色域取得部２２が、第１の出力装置により出力される色を第２の出力装置により再現した場合の色域を第２の色域として取得し、色域表示制御部２３が、第１の色域と第２の色域との差を色域の差として表示するので、第１の色域と第２の色域との差を表示部１１の表示内容により明確に確認することができる。さらに、編集点入力部２６、編集量入力部２７及び編集範囲入力部２８が、表示された色域の差に基づいて、第２の色域に対する調整の入力を受け付け、編集演算部２９が、第１の出力装置により出力される色を第２の出力装置の色変換テーブルを用いて第２の出力装置により再現した場合の色域が調整後の第２の色域となるように、第２の出力装置の色変換テーブルを編集するので、ユーザは、第２の色域を第１の色域の範囲内、即ち、第２の出力装置の色域の範囲内で容易に調整することができ、色再現後の出力を行う装置、即ち、第１の出力装置により出力される色を再現する第２の出力装置の色域を十分に活用することができる。
【００８３】
また、編集候補点表示制御部２５が、所定の特定基準に基づいて、第１の色域と第２の色域との差を示すための候補点（例えば、編集候補点Ｑ１〜Ｑ６、編集限界点Ｒ１〜Ｒ６等）を表示させるので、表示部１１は、第１の色域と第２の色域との差を具体的に表示することができ、第２の色域を編集するに際して編集の対象とする第２の色値や編集の目標とする第１の色域に含まれる色値を具体的に示すことができる。即ち、候補点により、第２の色域の編集をより容易に行うための情報提供を行うことができる。
【００８４】
また、色差算出部２４は、レッド（Ｒ）、イエロー（Ｙ）、グリーン（Ｇ）、シアン（Ｃ）、ブルー（Ｂ）、マゼンタ（Ｍ）の色に基づいて、第１の色域と前記第２の色域との差を算出し、編集候補点表示制御部２５は、算出された差のうち、少なくとも、レッド、イエロー、グリーン、シアン、ブルー、マゼンタのいずれか一つの色に基づく色域の差を候補点として表示するので、候補点を用いた第２の色域の編集により色の再現結果が変化する色をより明確に示すことができ、ユーザに対して第２の色域の編集をより容易に行うことが可能な色変換テーブル編集装置１０を提供することができる。
【００８５】
また、操作入力部１２を介して行われるユーザの入力内容に応じて、編集点入力部２６が候補点を選択し、選択された候補点に基づいた第２の色域の調整量を編集量入力部２７が決定するので、候補点を用いた第２の色域の調整をより具体的に行うことができ、ユーザに対して第２の色域の編集をより容易に行うことが可能な色変換テーブル編集装置１０を提供することができる。
【００８６】
また、編集範囲入力部２８が、所定の調整範囲に基づいて第２の色域の調整の範囲を指定するので、第２の色域の編集において特定の色値に限らず、複数の色に対応する色域を含む範囲に対して色域の調整を行うことができ、ユーザに対して第２の色域の編集をより容易に行うことが可能な色変換テーブル編集装置１０を提供することができる。
【００８７】
なお、本発明の実施の形態は、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８８】
（変形例）
図１４は、変形例における色変換テーブル編集画面の表示例を示す図である。上記の実施形態と同様の構成については、同じ符号を付して説明を省略する。  
【００８９】
変形例における編集候補点表示制御部２５は、図１４に示すように、第１の色域と第２の色域との差がより大きい候補点を優先して示すリストＬを表示する。
リストＬは、例えば、色域ビューにおいて表示された編集候補点のうち、第１の色域の色値ｎと第２の色域の色値ｍとの差（色差ｄ）がより大きいものを上から順に表示する。図１４に示すリストＬは、各々の編集候補点の入力デバイス値を示す入力点、当該入力点に対応する機種独立値（例えば、シーラブ表色系の色空間における値）及び色差ｄの値を対応付け、色差ｄが大きいものから順に番号（Num）を付して表示しているが、あくまで一例であり、これに限られるものではない。
【００９０】
また、変形例における編集範囲入力部２８は、指定された第２の色域の調整の範囲（補正範囲）を表示部１１に表示させる。
編集範囲入力部２８は、例えば、図１４に示すように、選択された編集候補点の色値と、色変換テーブル編集画面における入力操作に応じて設定された所定の補正範囲とに応じて決定された補正範囲の外周を示す枠Ｈ３を色変換テーブル編集画面の色域ビューにおいて表示させる。
【００９１】
以上、変形例によれば、編集候補点表示制御部２５が、複数の候補点のうち、第１の色域と第２の色域との差がより大きい候補点を優先して示すリストを表示するので、第１の色域を基準として編集の余地がより大きい第２の色域の色値を具体的に示すことができ、第２の色域の編集による第２の出力装置の色域の十分な活用を助ける情報提供を行うことができる。
【００９２】
また、編集範囲入力部２８が、指定された第２の色域の調整の範囲（補正範囲）を表示するので、表示部１１の表示内容により編集により色が変化する色域の範囲を明確に確認することができ、第２の色域の編集をより容易に行うための情報提供を行うことができる。
【００９３】
また、色変換テーブル編集装置は、第１の出力装置の色域を第３の色域として取得して、第２の色域と前記第３の色域との差を表示するようにしてもよい。
具体的には、例えば、第１の出力装置の色変換テーブル（例えば、ＤＰ等）に基づいて第１の出力装置の色域を取得する機能を演算部２０に設け、当該機能により取得された第１の出力装置の色域を第３の色域として色域ビューに表示させる。この場合、例えば、図７、図１４に示すように、第３の色域を示す枠Ｈ４が、第２の色域を示す枠Ｈ２と共に表示されることにより、第２の色域と前記第３の色域との差が示されることとなる。ここで、枠Ｈ２、枠Ｈ４による色域の表示の差に限らず、第１の色域の色値と第２の色域の色値との差を示すための候補点やリスト等と同様の仕組みにより、第２の色域の色値と第３の色域の色値との差を示すための別の候補点やリスト等を表示するようにしてもよい。
【００９４】
第２の色域と前記第３の色域との差を表示することにより、第２の出力装置により第１の出力装置の色を再現した場合の色域（第２の色域）を調整する際に、第２の出力装置の色域（第１の色域）だけでなく、色再現の基準となる第１の出力装置の色域（第３の色域）を考慮して色域を調整することができ、第２の出力装置の色域の十分な活用と、第１の出力装置の色の再現と、を両立して色域の編集を行うことができる。
【００９５】
また、上記の実施形態では、全ての色相をレッド（Ｒ）、イエロー（Ｙ）、グリーン（Ｇ）、シアン（Ｃ）、ブルー（Ｂ）、マゼンタ（Ｍ）の各々の単色の色相及びこれらの単色のうち隣り合う色どうしの中間点に対応する色相を基準とする３０度単位で区切っているが、一例であり、これに限られるものではない。色相を区切る角度の値や色の基準は任意に設定することができる。
【００９６】
また、上記の実施形態では、予め定められた補正範囲（例えば、「狭い」、「普通」、「広い」等）を用いているが、編集範囲入力部２８は、補正範囲を決定するためのユーザによる入力操作（例えば、色域を調整する範囲を指定するための数値等）に応じて補正範囲を決定するようにしてもよい。
【００９７】
また、上記の実施形態における機種依存値の色空間や機種独立値の色空間はあくまで一例であり、これに限られるものではない。例えば、国際照明委員会（Commission internationale de leclairage、：ＣＩＥ）が定める各種の表色系による色空間や、ＲＧＢ、ＣＭＹ及びこれらに基づく各種の色空間、ＹＩＱ、ＹＣｂＣｒ、ＹＰｂＰｒ等、プロファイルとして取り扱うことが可能な色空間であればよい。
【符号の説明】
【００９８】
１     カラーマネジメントシステム
４     画像形成装置
６     測色器
１０   色変換テーブル編集装置
１１   表示部
１２   操作入力部
１４   命令部
１５   測定部
２０   演算部
２１   第１色域取得部
２２   第２色域取得部
２３   色域表示制御部
２４   色差算出部
２５   編集候補点表示制御部
２６   編集点入力部
２７   編集量入力部
２８   編集範囲入力部
２９   編集演算部
３０   保存部
【図１】
0005760649.tif 000002
【図２】
0005760649.tif 000003
【図３】
0005760649.tif 000004
【図４】
0005760649.tif 000005
【図５】
0005760649.tif 000006
【図６】
0005760649.tif 000007
【図７】
0005760649.tif 000008
【図８】
0005760649.tif 000009
【図９】
0005760649.tif 000010
【図１０】
0005760649.tif 000011
【図１１】
0005760649.tif 000012
【図１２】
0005760649.tif 000013
【図１３】
0005760649.tif 000014
【図１４】
0005760649.tif 000015